(57)【特許請求の範囲】
【請求項１】
ロフト角が異なる２本以上のアイアン型ゴルフクラブを備えたセットであって、
前記ゴルフクラブのそれぞれが、シャフトと、前記シャフトの先端部に取り付けられたヘッドと、前記シャフトの後端部に取り付けられたグリップとを有しており、
前記ヘッドが、ソール面と、フェースラインを有するフェース面とを有しており、
前記ソール面が、リーディングエッジと、トレーリングエッジとを有しており、
前記ソール面の平面視において、前記トレーリングエッジが、フェース側に向かって凸となるように曲がっており、
前記フェースラインの中央位置におけるソール幅ＷＳｃが、ロフト角が大きくなるにつれて大きくされており、
トウ基準位置におけるソール幅がＷＳｔとされ、ヒール基準位置におけるソール幅がＷＳｈとされるとき、
差（ＷＳｔ−ＷＳｃ）が、ロフト角が大きくなるにつれて小さくされており、
差（ＷＳｈ−ＷＳｃ）が、ロフト角が大きくなるにつれて小さくされており、
以下の第１クラブ、第２クラブ及び第３クラブからなる群から選択される少なくとも２本を含むアイアン型ゴルフクラブセット。
・［第１クラブ］：ロフト角が２２°以上２８．５°未満であり、且つ、クラブ長さが３７．２５インチ以上３８．５インチ以下のクラブ。
・［第２クラブ］：ロフト角が２８．５°以上３６．５°未満であり、且つ、クラブ長さが３６．２５インチ以上３７．２５インチ未満のクラブ。
・［第３クラブ］：ロフト角が３６．５°以上４７°以下であり、且つ、クラブ長さが３５インチ以上３６．２５インチ未満のクラブ。
【請求項２】
ロフト角が異なる２本以上のアイアン型ゴルフクラブを備えたセットであって、
前記ゴルフクラブのそれぞれが、シャフトと、前記シャフトの先端部に取り付けられたヘッドと、前記シャフトの後端部に取り付けられたグリップとを有しており、
前記ヘッドが、ソール面と、フェースラインを有するフェース面とを有しており、
前記ソール面が、リーディングエッジと、トレーリングエッジとを有しており、
前記ソール面の平面視において、前記トレーリングエッジが、フェース側に向かって凸となるように曲がっており、
前記フェースラインの中央位置におけるソール幅ＷＳｃが、ロフト角が大きくなるにつれて大きくされており、
前記トレーリングエッジ上の点であって前記トウ基準位置にある点がＧｔとされ、前記トレーリングエッジ上の点であって前記中央位置にある点がＧｃとされ、前記トレーリングエッジ上の点であって前記ヒール基準位置にある点がＧｈとされ、平面視において前記点Ｇｔ、点Ｇｃ及び点Ｇｈの３点を通る円の曲率半径が前記トレーリングエッジの曲率半径と定義されるとき、前記トレーリングエッジの前記曲率半径が、ロフト角が大きくなるにつれて大きくされており、
以下の第１クラブ、第２クラブ及び第３クラブからなる群から選択される少なくとも２本を含むアイアン型ゴルフクラブセット。
・［第１クラブ］：ロフト角が２２°以上２８．５°未満であり、且つ、クラブ長さが３７．２５インチ以上３８．５インチ以下のクラブ。
・［第２クラブ］：ロフト角が２８．５°以上３６．５°未満であり、且つ、クラブ長さが３６．２５インチ以上３７．２５インチ未満のクラブ。
・［第３クラブ］：ロフト角が３６．５°以上４７°以下であり、且つ、クラブ長さが３５インチ以上３６．２５インチ未満のクラブ。
【請求項３】
トウ基準位置におけるソール幅ＷＳｔが、ロフト角が大きくなるにつれて大きくされており、
ヒール基準位置におけるソール幅ＷＳｈが、ロフト角が大きくなるにつれて大きくされている請求項１又は２に記載のゴルフクラブセット。
【請求項４】
前記ソール面が、トウ側からヒール側に向かって延びる稜線と、前記稜線と前記リーディングエッジとの間に延びるリーディング面と、前記稜線と前記トレーリングエッジとの間に延びるトレーリング面とを有しており、
前記リーディング面は、フェース側にいくほど上側となるように傾斜しており、
前記トレーリング面は、バック側にいくほど上側となるように傾斜している請求項１から３のいずれかに記載のゴルフクラブセット。
【請求項５】
前記第１クラブ、前記第２クラブ及び前記第３クラブを含む請求項１から４のいずれかに記載のゴルフクラブセット。
【発明の詳細な説明】
【技術分野】
【０００１】
本発明は、アイアン型ゴルフクラブセットに関する。
【背景技術】
【０００２】
アイアン型ゴルフクラブセットにおいて、ソール形状に関する提案がなされている。特公平６−９６０４９号公報では、ロングアイアンクラブからショートアイアンクラブに至るに従いソールの曲率半径が小さくされたゴルフクラブセットを開示する。特許第３０９５０５２号公報は、ソールにトウ側ガイド面とヒール側ガイド面とを有するヘッドを備えたゴルフクラブセットを開示する。トウ側ガイド面及びヒール側ガイド面は、バック側後縁からフェース側前縁に向かって斜め上方に傾斜している。前記セットでは、ロングアイアンからミドルアイアン、ショートアイアンになるに従い、前記傾斜が大きくなっている。
【先行技術文献】
【特許文献】
【０００３】
【特許文献１】特公平６−９６０４９号公報
【特許文献２】特許第３０９５０５２号公報
【発明の概要】
【発明が解決しようとする課題】
【０００４】
アイアン型ゴルフクラブセット（アイアンセット）では、各番手ごとに異なる役割がある。また、アイアンクラブは、芝生の上に直接置かれたボールを打撃する機会が多く、地面の傾斜等が異なる様々な状況で使用される。更に、例えば上級者は、様々なスイングによって所望の打球を得る傾向にあり、操作性に優れたアイアンクラブが求められている。したがって、アイアンセットにおける各番手には、様々な性能が要求される。
【０００５】
本発明者が鋭意検討した結果、アイアンセットの各番手に求められる性能は、これまで考えられていたよりも複雑であることが判明した。
【０００６】
本発明の目的は、セット内の各番手に要求される多様な性能を満足しうるアイアン型ゴルフクラブセットの提供にある。
【課題を解決するための手段】
【０００７】
本発明に係る好ましいアイアン型ゴルフクラブセットは、ロフト角が異なる２本以上のアイアン型ゴルフクラブを備えたセットである。前記ゴルフクラブのそれぞれは、シャフトと、前記シャフトの先端部に取り付けられたヘッドと、前記シャフトの後端部に取り付けられたグリップとを有している。前記ヘッドが、ソール面と、フェースラインを有するフェース面とを有している。前記ソール面が、リーディングエッジと、トレーリングエッジとを有している。前記ソール面の平面視において、前記トレーリングエッジは、フェース側に向かって凸となるように曲がっている。前記フェースラインの中央位置におけるソール幅ＷＳｃは、ロフト角が大きくなるにつれて大きくされている。
【０００８】
好ましくは、トウ基準位置におけるソール幅ＷＳｔが、ロフト角が大きくなるにつれて大きくされている。好ましくは、ヒール基準位置におけるソール幅ＷＳｈが、ロフト角が大きくなるにつれて大きくされている。
【０００９】
好ましくは、差（ＷＳｔ−ＷＳｃ）が、ロフト角が大きくなるにつれて小さくされている。好ましくは、差（ＷＳｈ−ＷＳｃ）が、ロフト角が大きくなるにつれて小さくされている。
【００１０】
好ましくは、前記平面視における前記トレーリングエッジの曲率半径が、ロフト角が大きくなるにつれて大きくされている。
【００１１】
好ましくは、前記ソール面が、トウ側からヒール側に向かって延びる稜線と、前記稜線と前記リーディングエッジとの間に延びるリーディング面と、前記稜線と前記トレーリングエッジとの間に延びるトレーリング面とを有している。好ましくは、前記リーディング面は、フェース側にいくほど上側となるように傾斜している。好ましくは、前記トレーリング面は、バック側にいくほど上側となるように傾斜している。
【発明の効果】
【００１２】
アイアン型ゴルフクラブセットに要求される多様な性能が達成されうる。
【図面の簡単な説明】
【００１３】
【図１】図１は、本発明の第一実施形態に係るアイアン型ゴルフクラブセットを示す図である。
【図２】図２は、図１のセットに含まれているヘッド（４番アイアン）をフェースの正面から見た正面図である。
【図３】図３は、図２のヘッドの側面図である。
【図４】図４は、図２のヘッドの底面図である。
【図５】図５は、図２のＦ５−Ｆ５線に沿った断面図である。
【図６】図６は、図２のＦ６−Ｆ６線に沿った断面図である。
【図７】図７は、図２のＦ７−Ｆ７線に沿った断面図である。
【図８】図８は、図１のセットに含まれているヘッド（７番アイアン）をフェースの正面から見た正面図である。
【図９】図９は、図８のヘッドの側面図である。
【図１０】図１０は、図８のヘッドの底面図である。
【図１１】図１１は、図８のＦ１１−Ｆ１１線に沿った断面図である。
【図１２】図１２は、図８のＦ１２−Ｆ１２線に沿った断面図である。
【図１３】図１３は、図８のＦ１３−Ｆ１３線に沿った断面図である。
【図１４】図１４は、図１のセットに含まれているヘッド（ピッチングウエッジ）をフェースの正面から見た正面図である。
【図１５】図１５は、図１４のヘッドの側面図である。
【図１６】図１６は、図１４のヘッドの底面図である。
【図１７】図１７は、図１４のＦ１７−Ｆ１７線に沿った断面図である。
【図１８】図１８は、図１４のＦ１８−Ｆ１８線に沿った断面図である。
【図１９】図１９は、図１４のＦ１９−Ｆ１９線に沿った断面図である。
【図２０】図２０は、基準状態に係る水平面ＨＰ及び基準垂直面ＶＰを示す斜視図である。
【発明を実施するための形態】
【００１４】
以下、適宜図面が参照されつつ、好ましい実施形態に基づいて本発明が詳細に説明される。
【００１５】
〔用語の定義〕
本願における用語の定義は、次の通りである。
【００１６】
［基準状態］
基準状態とは、フェースラインｇｖと水平面ＨＰとが平行とされた状態で、ヘッドが水平面ＨＰ上に載置された状態である。この基準状態では、ヘッドのシャフト孔の中心軸線Ｚ（シャフト軸線Ｚ）が基準垂直面ＶＰ内に配されている（図２０参照）。基準垂直面ＶＰは、水平面ＨＰに対して垂直な平面である。この基準状態において、フェースラインｇｖは、水平面ＨＰに平行であり、且つ、基準垂直面ＶＰに平行である。
【００１７】
［トウ−ヒール方向］
前記基準状態のヘッドにおいて、前記基準垂直面ＶＰと前記水平面ＨＰとの交線の方向が、トウ−ヒール方向である。このトウ−ヒール方向は、フェースラインｇｖに平行である。
【００１８】
［フェース−バック方向］
前記トウ−ヒール方向に対して垂直であり且つ前記水平面ＨＰに平行な方向が、フェース−バック方向である。フェース−バック方向は、前後方向でもある。フェース側は前側とも称される。
【００１９】
［上下方向］
前記トウ−ヒール方向に対して垂直であり且つ前記フェース−バック方向に対して垂直な方向が、上下方向である。
【００２０】
［フェースラインの中央位置］
最長フェースラインｇｖ１のトウ−ヒール方向における中心位置が、フェースラインの中央位置Ｐｃである（後述の図２参照）。中央位置Ｐｃは、トウ−ヒール方向の位置である。なお、複数の最長フェースラインｇｖ１が存在する場合、最も下側の最長フェースラインｇｖ１に基づいて中央位置Ｐｃが決定される。
【００２１】
［トウ基準位置］
最長フェースラインｇｖ１のトウ側における端の位置が、トウ基準位置Ｐｔである（後述の図２参照）。トウ基準位置Ｐｔは、トウ−ヒール方向の位置である。なお、複数の最長フェースラインｇｖ１が存在する場合、最も下側の最長フェースラインｇｖ１に基づいてトウ基準位置Ｐｔが決定される。
【００２２】
［ヒール基準位置］
最長フェースラインｇｖ１のヒール側における端の位置が、ヒール基準位置Ｐｈである（後述の図２参照）。ヒール基準位置Ｐｈは、トウ−ヒール方向の位置である。なお、複数の最長フェースラインｇｖ１が存在する場合、最も下側の最長フェースラインｇｖ１に基づいてヒール基準位置Ｐｈが決定される。
【００２３】
［リーディングエッジ］
フェース−バック方向に沿ったヘッドの断面において最も前側（フェース側）に位置する点が、リーディングエッジである。
【００２４】
［トレーリングエッジ］
トレーリングエッジは、ソール面のバック側の縁である。丸み等に起因してソール面のバック側の縁が確認できない場合、トレーリングエッジは次のように決定されうる。フェース−バック方向に沿った断面において、トレーリング面の各点の曲率半径を後方に向かって順次算出したとき、当該曲率半径が最初に５ｍｍ以下となった点が、トレーリングエッジとされる。
【００２５】
［ソール幅］
リーディングエッジとトレーリングエッジとの間の距離が、ソール幅である。このソール幅は、フェース−バック方向の距離である。
【００２６】
図１は、本発明の一実施形態に係るアイアン型ゴルフクラブセット２を示す図である。本願では、アイアン型ゴルフクラブセットが、ゴルフクラブセット、クラブセット、アイアンセット又はセットとも称される。アイアン型ゴルフクラブのロフト角は、通常、１５度以上７０度以下である。なお、特に説明しない限り、本願においてロフト角とは、リアルロフト角を意味する。リアルロフト角とは、シャフト軸線Ｚに対するロフト角である。
【００２７】
セット２は、ロフト角が互いに相違する２本以上のアイアン型ゴルフクラブ４を含む。セット２は、クラブ長さが互いに相違する２本以上のアイアン型ゴルフクラブ４を含む。セット２は、クラブ長さ及びロフト角が互いに相違する２本以上のアイアン型ゴルフクラブ４を含む。セット２では、クラブ長さが短くなるにつれて、ロフト角が大きくなっている。
【００２８】
クラブセットのクラブ本数は、２本以上である。セット２では、クラブ本数が７である。２本以上である限り、セット２の本数は限定されない。セットに係る本発明の効果を顕在化させる観点から、セット２のクラブ本数は、３以上が好ましく、４以上がより好ましく、５以上がより好ましく、６以上がより好ましい。ゴルフルールでは、プレー中に使用可能なクラブ本数が制限されている。この観点から、セット２のクラブ本数は、１１以下が好ましく、１０以下がより好ましく、９以下がより好ましい。
【００２９】
ゴルフクラブ４のそれぞれは、シャフトｓｆ、ヘッドｈｄ及びグリップｇｐを有する。シャフトｓｆの先端部に、ヘッドｈｄが取り付けられている。シャフトｓｆの後端部に、グリップｇｐが取り付けられている。
【００３０】
セット２は、ゴルフクラブｃ１〜ｃ７を含む。ゴルフクラブｃ１は、シャフトｓｆ１、ヘッドｈｄ１及びグリップｇｐを有する。ゴルフクラブｃ２は、シャフトｓｆ２、ヘッドｈｄ２及びグリップｇｐを有する。ゴルフクラブｃ３は、シャフトｓｆ３、ヘッドｈｄ３及びグリップｇｐを有する。ゴルフクラブｃ４は、シャフトｓｆ４、ヘッドｈｄ４及びグリップｇｐを有する。ゴルフクラブｃ５は、シャフトｓｆ５、ヘッドｈｄ５及びグリップｇｐを有する。ゴルフクラブｃ６は、シャフトｓｆ６、ヘッドｈｄ６及びグリップｇｐを有する。ゴルフクラブｃ７は、シャフトｓｆ７、ヘッドｈｄ７及びグリップｇｐを有する。ロフト角が大きくなるにつれて、シャフトｓｆの長さが短くなっている。
【００３１】
セット２では、クラブ長さの長い順に、ゴルフクラブｃ１、ゴルフクラブｃ２、ゴルフクラブｃ３、ゴルフクラブｃ４、ゴルフクラブｃ５、ゴルフクラブｃ６及びゴルフクラブｃ７である。クラブ長さが短くなるにつれて、ロフト角が大きくなっている。なお、一部の番手間（例えば、ウエッジ同士）において、ロフト角が相違し且つクラブ長さが同一であってもよい。
【００３２】
図示されないが、セット２では、クラブ長さが短くなるにつれて、ライ角が大きくなっている。
【００３３】
セット２において、各クラブの番手は次の通りである。ゴルフクラブｃ１は４番アイアンであり、ゴルフクラブｃ２は５番アイアンであり、ゴルフクラブｃ３は６番アイアンであり、ゴルフクラブｃ４は７番アイアンであり、ゴルフクラブｃ５は８番アイアンであり、ゴルフクラブｃ６は９番アイアンであり、ゴルフクラブｃ７はピッチングウエッジ（ＰＷ）である。本発明では、セット２に含まれるゴルフクラブ４の番手は限定されない。
【００３４】
セット２では、番手が大きくなるにつれて、クラブ長さが短い。番手が大きくなるにつれて、ロフト角が大きい。なお、隣接する番手間のロフト角の差は、通常、２°以上６°以下である。
【００３５】
セットに係る本発明の効果（後述）を考慮すると、セット２は、以下の第１クラブ、第２クラブ及び第３クラブからなる群から選択される少なくとも２本を含むのが好ましい。より好ましくは、セット２は、以下の第１クラブ、第２クラブ及び第３クラブを含む。
・［第１クラブ］：ロフト角が２２°以上２８．５°未満であり、且つ、クラブ長さが３７．２５インチ以上３８．５インチ以下のクラブ。
・［第２クラブ］：ロフト角が２８．５°以上３６．５°未満であり、且つ、クラブ長さが３６．２５インチ以上３７．２５インチ未満のクラブ。
・［第３クラブ］：ロフト角が３６．５°以上４７°以下であり、且つ、クラブ長さが３５インチ以上３６．２５インチ未満のクラブ。
【００３６】
セット２は、以下の第４クラブを含んでいても良い。
・［第４クラブ］：ロフト角が４７°より大きく７０°以下であり、且つ、クラブ長さが３５インチ以上３６インチ以下のクラブ。
【００３７】
次に、ヘッドｈｄについて説明する。以下では、４番アイアン、７番アイアン及びピッチングウエッジを例示的に図示する。これらの３つの番手を取り上げるのは、あくまでも例示に過ぎない。
【００３８】
図２は、４番アイアン（前述の第１クラブ）のヘッドｈｄ１をフェース面に対して垂直な方向から見た正面図である。図３は、ヘッドｈｄ１の側面図である。図４は、ヘッドｈｄ１をソール側から見た底面図である。図５は、図２のＦ５−Ｆ５線に沿った断面図である。図６は、図２のＦ６−Ｆ６線に沿った断面図である。図７は、図２のＦ７−Ｆ７線に沿った断面図である。
【００３９】
図８は、７番アイアン（前述の第２クラブ）のヘッドｈｄ４をフェース面に対して垂直な方向から見た正面図である。図９は、ヘッドｈｄ４の側面図である。図１０は、ヘッドｈｄ４をソール側から見た底面図である。図１１は、図８のＦ１１−Ｆ１１線に沿った断面図である。図１２は、図８のＦ１２−Ｆ１２線に沿った断面図である。図１３は、図８のＦ１３−Ｆ１３線に沿った断面図である。
【００４０】
図１４は、ピッチングウエッジ（前述の第３クラブ）のヘッドｈｄ７をフェース面に対して垂直な方向から見た正面図である。図１５は、ヘッドｈｄ７の側面図である。図１６は、ヘッドｈｄ７をソール側から見た底面図である。図１７は、図１４のＦ１７−Ｆ１７線に沿った断面図である。図１８は、図１４のＦ１８−Ｆ１８線に沿った断面図である。図１９は、図１４のＦ１９−Ｆ１９線に沿った断面図である。
【００４１】
以下において、ヘッドｈｄとして説明されている部分は、全ての番手に共通する事項である。
【００４２】
図２から図１９が示すように、ヘッドｈｄは、トップ面１０と、ソール面１２と、フェース面１４と、ホーゼル１６とを有している。フェース面１４は、ボールを打撃する面である。ソール面１２は、ヘッドｈｄの下面を形成している。ソール面１２は、全体として、下方に向かって凸の面を形成している。ホーゼル１６は、ヘッドｈｄのヒール側に位置している。ホーゼル１６は、シャフト孔１８を有する（図２、図８及び図１４参照）。シャフト孔１８の中心軸線Ｚは、シャフトの軸線に一致している。
【００４３】
更にヘッドｈｄは、バック面２０を有する。バック面２０は、フェース面１４の反対側の面である。バック面２０には、キャビティ（凹部）が形成されている。即ち、ヘッドｈｄはいわゆるキャビティバックアイアンである。
【００４４】
なお、ヘッドｈｄの材質は限定されない。ヘッドｈｄは、金属であってもよいし、非金属であってもよい。この金属の例として、鉄、ステンレス鋼、マルエージング鋼、純チタン及びチタン合金が挙げられる。鉄の例として、軟鉄（炭素含有率が０．３ｗｔ％未満の低炭素鋼）が挙げられる。非金属の例として、ＣＦＲＰ（炭素繊維強化プラスチック）挙げられる。フェース部分と他の部分との間で材質が相違していてもよい。
【００４５】
フェース面１４は、フェースラインｇｖを有している。フェースラインｇｖは、スコアライン又はフェース溝とも称される。ヘッドｈｄ１は、複数のフェースラインｇｖを有する。フェースラインｇｖの形成方法として、鍛造、プレス加工、鋳造及び切削加工（彫刻）が例示される。複数のフェースラインｇｖは、最長フェースラインｇｖ１を含む。なお、図２を除き、フェースラインｇｖの記載は省略されている。
【００４６】
フェース面１４の一部には、表面粗さを調整する処理が施されている（図２、図８及び図１４参照）。この処理の典型例は、ショットブラスト処理である。本実施形態では、ショットブラスト処理が採用されている。図２が示すように、ショットブラスト処理がなされているエリアと、ショットブラスト処理がなされていないエリアとの境界には、境界線ｋ１が視認される。この境界線ｋ１は、トウ側の境界線ｋ１ｔ及びヒール側の境界線ｋ１ｈである。境界線ｋ１ｔと境界線ｋ１ｈとの間のエリアに、ショットブラスト処理が施されている。ショットブラスト処理がなされたエリアに、全てのフェースラインｇｖが設けられている。トウ側の境界線ｋ１ｔよりもトウ側のエリアには、ショットブラスト処理が施されていない。ヒール側の境界線ｋ１ｈよりもヒール側のエリアには、ショットブラスト処理が施されていない。このショットブラスト処理の有無によって、トウ側の境界線ｋ１ｔ及びヒール側の境界線ｋ１ｈが視認される。このショットブラスト処理により、表面粗さが大きくされている。この大きな表面粗さにより、バックスピン量が増加しうる。
【００４７】
フェース面１４は、ランドエリアＬＡを有する。ランドエリアＬＡとは、フェース面１４のうち、フェースラインｇｖが形成されていない部分を指す。このランドエリアＬＡは、ショットブラスト処理等による細かい凹凸を無視すれば、実質的に平面である。よって本願では、フェース面１４を平面として扱う。アイアンヘッドｈｄでは、通常、フェース面１４は平面である。
【００４８】
図４、図１０及び図１６が示すように、ソール面１２は、トウ側からヒール側に向かって延びる稜線ＲＬと、稜線ＲＬのフェース側に位置するリーディング面Ｓ１と、稜線ＲＬのバック側に位置するトレーリング面Ｓ２とを有する。稜線ＲＬは、リーディング面Ｓ１とトレーリング面Ｓ２との境界線である。リーディング面Ｓ１は、稜線ＲＬとリーディングエッジＥ１との間に延びている。トレーリング面Ｓ２は、稜線ＲＬとトレーリングエッジＥ２との間に延びている。
【００４９】
リーディング面Ｓ１は、全体として、滑らかに連続する凸曲面である。トレーリング面Ｓ２は、全体として、滑らかに連続する凸曲面である。
【００５０】
稜線ＲＬは、ソール面１２の頂点によって形成されている。稜線ＲＬは、視認されうる線である。フェース−バック方向に沿った断面において、稜線ＲＬはソール面１２の頂点を構成する。この頂点が丸みを有していてもよいが、その丸みの曲率半径は、７ｍｍ以下であるのが好ましい。
【００５１】
トウ−ヒール方向の全ての位置において、フェース−バック方向に沿った断面が定義されうるが、これらの断面の全てにおいて、稜線ＲＬが最下点を構成する。
【００５２】
稜線ＲＬの突出高さは、トウ基準位置Ｐｔからヒール基準位置Ｐｈにいくに従って低くなっている。突出高さとは、リーディングエッジＥ１とトレーリングエッジＥ２とを結ぶ直線と稜線ＲＬとの距離（最短距離）である。三次元的には、稜線ＲＬは下側に凸となるように曲がっている。
【００５３】
リーディング面Ｓ１は、稜線ＲＬからフェース側に向かって延在している。リーディング面Ｓ１のフェース側の端は、リーディングエッジＥ１である（図４、図１０及び図１６参照）。リーディング面Ｓ１は、フェース側にいくほど上側となるように傾斜している。リーディング面Ｓ１は、外側に凸の曲面であるが、平面に近い。後述される観点から、リーディング面Ｓ１は平面又は平面に近いのが好ましい。よって、フェース−バック方向に沿った断面において、リーディング面Ｓ１の曲率半径は、２０ｍｍ以上であるのが好ましい。リーディング面Ｓ１は、平面であってもよい。フェース−バック方向に沿った断面において、リーディング面Ｓ１は、直線であってもよい。
【００５４】
トレーリング面Ｓ２は、稜線ＲＬからバック側に向かって延在している。トレーリング面Ｓ２のバック側の端は、トレーリングエッジＥ２である（図４、図１０及び図１６参照）。トレーリング面Ｓ２は、バック側にいくほど上側となるように傾斜している。トレーリング面Ｓ２は、外側に凸の曲面であるが、平面に近い。後述される観点から、トレーリング面Ｓ２は平面又は平面に近いのが好ましい。よって、フェース−バック方向に沿った断面において、トレーリング面Ｓ２の曲率半径は、３０ｍｍ以上であるのが好ましい。トレーリング面Ｓ２は、平面であってもよい。フェース−バック方向に沿った断面において、トレーリング面Ｓ２は、直線であってもよい。
【００５５】
このように、フェース−バック方向に沿った断面におけるソール面１２の断面形状は、稜線ＲＬを頂点とする山形である。上記基準状態において水平面ＨＰに接しているのは、稜線ＲＬのみである。また、図２等から理解できるように、トウ−ヒール方向に沿った断面におけるソール面１２の断面形状は、下方に向かって凸となるように曲がっている。上記基準状態において水平面ＨＰに接している部分（接触部分）は、稜線ＲＬ上の１箇所である。基準状態において、この稜線ＲＬと水平面ＨＰとの隙間は、前記接触部分からトウ側にいくにつれて大きくなる。基準状態において、この稜線ＲＬと水平面ＨＰとの隙間は、前記接触部分からヒール側にいくにつれて大きくなる。
【００５６】
〔稜線ソールの効果〕
このような稜線ＲＬを境界としてリーディング面Ｓ１及びトレーリング面Ｓ２を有する構造は、以下のような効果を奏する。
【００５７】
インパクト近傍において、稜線ＲＬが地面を通過する前に、リーディング面Ｓ１が地面に対向する。しかし、リーディング面Ｓ１は地面へ大きく突出していないため、地面から受ける抵抗が低減される。その結果、接地抵抗に伴うヘッドスピードの低下が抑制されうる。
【００５８】
更にスイングが進行すると、稜線ＲＬが接地する。ソール面１２は稜線ＲＬにおいて突出しているため、ソール面１２は、稜線ＲＬにおいて集中的に地面からの抵抗を受ける。したがって、稜線ＲＬの接地に伴いヘッドｈｄが一気に回転する。ヘッドｈｄは、稜線ＲＬを中心として前方に倒れるように回転する。このヘッドｈｄの回転は、ヘッドｈｄのロフト角（鉛直線に対するロフト角）が小さくなる方向の回転である。このヘッドｈｄの回転により、ギア効果が生ずる。すなわち、稜線ＲＬで集中的に地面からの抵抗を受けるため、一気にギア効果が生ずる。このギア効果に起因して、バックスピン量が増大する。なお、ソール面が単なる凸面である場合、稜線ＲＬよりもフェース側において凸面が既に抵抗を受けているため、ソール面１２が受ける抵抗が分散する。このため、上述のような急激なヘッドｈｄの回転は生じず、ギア効果は少ない。よって、バックスピン量の増大効果も少ない。
【００５９】
また、稜線ＲＬが地面を通過した後は、トレーリング面Ｓ２が地面に対向する。しかし、リーディング面Ｓ１と同様に、トレーリング面Ｓ２は地面へ大きく突出していないため、地面から受ける抵抗（接地抵抗）が低減される。その結果、接地抵抗に伴うヘッドスピードの低下を抑制することができ、抜け性能が向上しうる。
【００６０】
図５、図６、図７等において両矢印θ１で示されるのは、リーディング面Ｓ１の傾斜角度である。前記基準状態において、フェース−バック方向に沿った断面が考察される。当該断面において、リーディング面Ｓ１に沿った直線Ｌ１が定義される。リーディング面Ｓ１の断面線が曲線である場合、当該断面線の中点の接線が、直線Ｌ１と定義される。直線Ｌ１と水平面ＨＰとの成す角度が、リーディング面Ｓ１の傾斜角度θ１である。前記中点とは、リーディング面Ｓ１の断面線のフェース−バック方向幅を２等分する点を意味する。
【００６１】
トウ基準位置Ｐｔにおける傾斜角度θ１が、角度θ１ｔである（図５、図１１及び図１７参照）。中央位置Ｐｃにおける傾斜角度θ１が、角度θ１ｃである（図６、図１２及び図１８参照）。ヒール基準位置Ｐｈにおける傾斜角度θ１が、角度θ１ｈである（図７、図１３及び図１９参照）。
【００６２】
セット２では、ロフト角が大きくなるにつれて、傾斜角度θ１が大きい。より詳細には、ロフト角が大きくなるにつれて、傾斜角度θ１ｔが大きい。また、ロフト角が大きくなるにつれて、傾斜角度θ１ｃが大きい。また、ロフト角が大きくなるにつれて、傾斜角度θ１ｈが大きい。
【００６３】
比較的短いクラブ４（例えば、前述の第３クラブ）では、グリーン等の比較的狭いエリアを狙うショットが多い。このため、短いクラブ４では、バックスピン量の増大が求められる。セット２では、短いクラブ４において傾斜角度θ１が大きいので、稜線ＲＬへの接地抵抗の集中を更に高めることができる。よって、前述のヘッド回転が更に促進され、前記ギア効果が更に高まる。この結果、バックスピン量が一層増大する。一方、比較的長いクラブ４（例えば、前述の第１クラブ）では、傾斜角度θ１が小さいので、過度のヘッド回転が抑制される。この結果、ショットの初期条件（例えば、打出角、スピン量）が安定する。加えて、過剰なバックスピンに起因するふけ上がりが防止される。
【００６４】
なお、セット２の各番手において、傾斜角度θ１ｔ、傾斜角度θ１ｃ及び傾斜角度θ１ｈの間の相違は比較的小さい。この構成により、接地位置がトウ−ヒール方向で変動した場合であっても、稜線ＲＬへの接地抵抗の集中が安定的に得られる。このため、前述のギア効果の変動が少なく、バックスピン量が安定する。この観点から、各ヘッドｈｄにおいて、傾斜角度θ１ｔと傾斜角度θ１ｃとの差は３°以下、更には２°以下であるのが好ましい。同様に、各ヘッドｈｄにおいて、傾斜角度θ１ｈと傾斜角度θ１ｃとの差は３°以下、更には２°以下であるのが好ましい。
【００６５】
図５、図６、図７等において両矢印θ２で示されるのは、トレーリング面Ｓ２の傾斜角度である。前記基準状態において、フェース−バック方向に沿った断面が考察される。当該断面において、トレーリング面Ｓ２に沿った直線Ｌ２が定義される。トレーリング面Ｓ２の断面線が曲線の場合、当該断面線の中点の接線が、直線Ｌ２と定義される。直線Ｌ２と水平面ＨＰとの成す角度が、トレーリング面Ｓ２の傾斜角度θ２である。前記中点とは、トレーリング面Ｓ２の断面線のフェース−バック方向幅を２等分する点を意味する。
【００６６】
トウ基準位置Ｐｔにおける傾斜角度θ２が、角度θ２ｔである（図５、図１１及び図１７参照）。中央位置Ｐｃにおける傾斜角度θ２が、角度θ２ｃである（図６、図１２及び図１８参照）。ヒール基準位置Ｐｈにおける傾斜角度θ２が、角度θ２ｈである（図７、図１３及び図１９参照）。
【００６７】
ヘッドｈｄでは、傾斜角度θ２ｔが傾斜角度θ２ｃよりも大きい（θ２ｔ＞θ２ｃ）。ヘッドｈｄでは、傾斜角度θ２ｈが傾斜角度θ２ｃよりも大きい（θ２ｈ＞θ２ｃ）。
【００６８】
ヘッドｈｄ１（前記第１クラブ）において、θ２ｔ＞θ２ｃである。ヘッドｈｄ４（前記第２クラブ）において、θ２ｔ＞θ２ｃである。ヘッドｈｄ７（前記第３クラブ）において、θ２ｔ＞θ２ｃである。セット２の全ての番手において、θ２ｔ＞θ２ｃである。
【００６９】
ヘッドｈｄ１（前記第１クラブ）において、θ２ｈ＞θ２ｃである。ヘッドｈｄ４（前記第２クラブ）において、θ２ｈ＞θ２ｃである。ヘッドｈｄ７（前記第３クラブ）において、θ２ｈ＞θ２ｃである。セット２の全ての番手において、θ２ｈ＞θ２ｃである。
【００７０】
中央位置Ｐｃからトウ基準位置Ｐｔに向かうにつれて、傾斜角度θ２は徐々又は断続的に変化している。中央位置Ｐｃからヒール基準位置Ｐｈに向かうにつれて、傾斜角度θ２は徐々に又は断続的に変化している。なお、「断続的に」とは、傾斜角度θ２が一定である部分が含まれていても良いことを意味する。
【００７１】
中央位置Ｐｃからトウ基準位置Ｐｔに向かうにつれて、傾斜角度θ２は徐々又は断続的に増加している。中央位置Ｐｃからヒール基準位置Ｐｈに向かうにつれて、傾斜角度θ２は徐々に又は断続的に増加している。
【００７２】
〔ソール幅ＷＳ、リーディング面Ｓ１の幅Ｗ１、トレーリング面Ｓ２の幅Ｗ２〕
図４において両矢印Ｗ１で示されるのは、リーディング面Ｓ１の幅である。幅Ｗ１は、フェース−バック方向に沿って測定される。図４において両矢印Ｗ２で示されるのは、トレーリング面Ｓ２の幅である。幅Ｗ２は、フェース−バック方向に沿って測定される。図４において両矢印ＷＳで示されるのは、ソール面１２の幅である。ソール幅ＷＳは、リーディングエッジＥ１とトレーリングエッジＥ２との間の距離である。幅ＷＳは、フェース−バック方向に沿って測定される。ソール幅ＷＳは、幅Ｗ１と幅Ｗ２との和である。
【００７３】
〔幅ＷＳｔ、幅ＷＳｃ、幅ＷＳｈ〕
図５が示すように、トウ基準位置Ｐｔにおける前記幅ＷＳが、ＷＳｔである。図６が示すように、中央位置Ｐｃにおける前記幅ＷＳが、ＷＳｃである。図７が示すように、ヒール基準位置Ｐｈにおける前記幅ＷＳが、ＷＳｈである。
【００７４】
〔幅Ｗ１ｔ、Ｗ１ｃ、Ｗ１ｈ、Ｗ２ｔ、Ｗ２ｃ、Ｗ２ｈ〕
図５が示すように、トウ基準位置Ｐｔにおける前記幅Ｗ１が、Ｗ１ｔである。図６が示すように、中央位置Ｐｃにおける前記幅Ｗ１が、Ｗ１ｃである。図７が示すように、ヒール基準位置Ｐｈにおける前記幅Ｗ１が、Ｗ１ｈである。図５が示すように、トウ基準位置Ｐｔにおける前記幅Ｗ２が、Ｗ２ｔである。図６が示すように、中央位置Ｐｃにおける前記幅Ｗ２が、Ｗ２ｃである。図７が示すように、ヒール基準位置Ｐｈにおける前記幅Ｗ２が、Ｗ２ｈである。前記ソール幅ＷＳｔは、幅Ｗ１ｔと幅Ｗ２ｔとの和である。前記ソール幅ＷＳｃは、幅Ｗ１ｃと幅Ｗ２ｃとの和である。前記ソール幅ＷＳｈは、幅Ｗ１ｈと幅Ｗ２ｈとの和である。
【００７５】
ヘッドｈｄでは、トウ基準位置Ｐｔにおいて、幅Ｗ２ｔが幅Ｗ１ｔより大きい。ヘッドｈｄでは、ヒール基準位置Ｐｈにおいて、幅Ｗ２ｈが幅Ｗ１ｈより大きい。したがって、トウ側及びヒール側においてトレーリング面Ｓ２の効果が高まる。
【００７６】
トレーリング面Ｓ２の機能を高めつつ、リーディング面Ｓ１による機能も確保する観点から、Ｗ２ｔ／ＷＳｔは、０．５より大きく０．７５以下であるのが好ましい。トレーリング面Ｓ２の機能を高めつつ、リーディング面Ｓ１による機能も確保する観点から、Ｗ２ｈ／ＷＳｈは、０．５より大きく０．７５以下であるのが好ましい。
【００７７】
〔トレーリングエッジＥ２の曲率半径〕
図４、図１０及び図１６において、点Ｇｔは、トレーリングエッジＥ２上の点であって、前記トウ基準位置Ｐｔにある点である。点Ｇｃは、トレーリングエッジＥ２上の点であって、前記中央位置Ｐｃにある点である。点Ｇｈは、トレーリングエッジＥ２上の点であって、ヒール基準位置Ｐｈにある点である。本願では、トレーリングエッジＥ２の曲率半径が定義される。図４のような平面視において、点Ｇｔ、点Ｇｃ及び点Ｇｈの３点を通る円の曲率半径が、トレーリングエッジＥ２の曲率半径と定義される。また、この平面視において、点Ｇｔ、点Ｇｃ及び点Ｇｈの３点を通る円が、曲率確定円と定義される。
【００７８】
ソール幅ＷＳが急激に変化すると、ヘッドｈｄが芝から受ける抵抗が不安定となりやすい。よって、ヘッドｈｄにおいて、ソール幅ＷＳは徐々に変化しているのが好ましい。この観点から、ヘッドｈｄのトレーリングエッジＥ２は前記曲率確定円に略沿っているのが好ましい。換言すれば、トレーリングエッジＥ２と前記曲率確定円とのズレは少ないのが好ましい。この点を考慮すると、点Ｇｔから点ＧｈまでのトレーリングエッジＥ２において、前記曲率確定円とトレーリングエッジＥ２との間の距離（ズレ距離）は、４ｍｍ以下が好ましく、２ｍｍ以下がより好ましい。このズレ距離は、フェース−バック方向に沿って測定される。
【００７９】
〔フェース側に凸となるように曲がったトレーリングエッジＥ２〕
図４のヘッドｈｄ１（前記第１クラブ）において、トレーリングエッジＥ２は、フェース側に凸となるように曲がっている。図１０のヘッドｈｄ４（前記第２クラブ）において、トレーリングエッジＥ２は、フェース側に凸となるように曲がっている。図１６のヘッドｈｄ７（前記第３クラブ）において、トレーリングエッジＥ２は、フェース側に凸となるように曲がっている。ヘッドｈｄにおいて、トレーリングエッジＥ２は、フェース側に凸となるように曲がっている。セット２では、全てのクラブ４（番手）において、トレーリングエッジＥ２は、フェース側に凸となるように曲がっている。
【００８０】
〔凸状に曲がったトレーリングエッジＥ２の効果〕
フェース側に凸に曲がったトレーリングエッジＥ２により、トウ側及びヒール側のソール幅ＷＳが大きくなるため、これらの部位により多くの重量が配分される。よって、ヘッドの左右慣性モーメントが大きくなる。この結果、インパクト時におけるヘッドｈｄの左右へのブレ（上下方向に沿った軸回りの回転に伴うブレ）が小さくなり、打球の方向が安定する。なお、上下方向に沿い且つヘッドの重心を通る軸を上下方向軸と定義するとき、左右慣性モーメントとは、前記上下方向軸回りの慣性モーメントである。
【００８１】
特に長いクラブ４（例えば、前述の第１クラブ）は飛距離が大きいため、インパクト時のヘッドのブレが打球の方向性に大きく影響する。よって、長いクラブ４において、左右慣性モーメントを大きくすることは有効である。
【００８２】
長いクラブ４では、ヘッドｈｄの回転半径（ヘッド軌道の半径）が大きいため、芝に接触している間のヘッドｈｄの移動距離が長い。よって、長いクラブ４では、芝と接触している間のヘッド軌道が打球の方向性及び飛距離に大きく影響する。セット２では、長いクラブ４のソール幅ＷＳが、トウ側及びヒール側において大きい。このため、トウ側及びヒール側において、芝との接触面積が大きくなる。この大きな接触面積が、ヘッドｈｄが芝面を滑る際のガイドとして機能し、ヘッド軌道が安定する。この結果、長いクラブ４において、方向性及び飛距離が安定する。
【００８３】
セット２では、複数のスペックに関して、「フロー」が採用されている。この「フロー」とは、ロフト角（又はクラブ長さ）の変化に伴うスペックの段階的な変化を意味する。
【００８４】
〔ソール幅ＷＳｃのフロー〕
セット２では、中央位置Ｐｃにおけるソール幅ＷＳｃが、ロフト角が大きくなるにつれて大きい。換言すれば、ソール幅ＷＳｃは、クラブ長が短くなるにつれて大きい。したがって、ヘッドｈｄ７（前記第３クラブ）のソール幅ＷＳｃは、ヘッドｈｄ４（前記第２クラブ）のソール幅ＷＳｃよりも大きい。また、ヘッドｈｄ４（前記第２クラブ）のソール幅ＷＳｃは、ヘッドｈｄ１（前記第１クラブ）のソール幅ＷＳｃよりも大きい。
【００８５】
〔ソール幅ＷＳｃのフローの効果（比較的長いクラブ）〕
長いクラブ４では、ヘッドｈｄの回転半径（ヘッド軌道の半径）が大きいため、芝に接触している間のヘッドｈｄの移動距離が長い。よって、長いクラブ４では、芝との接触による抵抗が抜け性能に大きく影響する。また、ソール面１２の中央部分は、芝に最も深く入り込むため、芝からの抵抗が大きい。長いクラブ４において中央位置Ｐｃのソール幅ＷＳｃを小さくすることで、前記抵抗を効果的に低減することができる。  
【００８６】
〔ソール幅ＷＳｃのフローの効果（比較的短いクラブ）〕
短いクラブ４では、ヘッドｈｄの回転半径（ヘッド軌道の半径）が小さいため、ヘッドｈｄが芝面に対して鋭角に侵入する（アタックアングルが大きい）。そのため、ヘッドｈｄが芝に深く入りすぎ、つっかかりが生じやすい。短いクラブ４において中央位置Ｐｃのソール幅ＷＳｃを大きくすることで、ソール面１２と芝との接触面積が増加し、ヘッドｈｄが芝から受ける上方への抗力（浮力）が大きくなる。よって、前記つっかかりが抑制され、ヘッドｈｄが芝面を滑りやすくなり、抜け性能が向上する。
【００８７】
上述の通り、短いクラブ４では、ヘッドｈｄが芝面に対して鋭角に侵入する（アタックアングルが大きい）。そのため、フェース面１４における打点が上下方向にばらつき易く、インパクトの際にヘッドのブレが生じやすい。このブレは、トウ−ヒール方向に沿った軸回りのヘッドｈｄの回転に伴うブレである。短いクラブ４においてソール幅ＷＳｃが大きくなることで、ソール面１２に配分される重量が増加し、前記回転に対する慣性モーメントが増加するため、前記ブレが小さくなる。よって、打球の打ち出し角度が安定する。結果として、弾道の高さ及び飛距離が安定する。
【００８８】
なお、アイアン型ゴルフクラブヘッドでは、ホーゼル１６に比較的多くの重量が配分されている。ソール面１２に配分される重量を増やした場合、ヘッドｈｄの全体では、重量がホーゼル１６とソール面１２とに分散される。ホーゼル１６とソール面１２とは比較的離れているため、この質量分散により慣性モーメントが増加し、打点の上下方向のバラツキに起因する上記ブレが抑制される。
【００８９】
〔ソール幅ＷＳｔ及びソール幅ＷＳｈのフロー〕
セット２では、トウ基準位置Ｐｔにおけるソール幅ＷＳｔは、ロフト角が大きくなるにつれて大きい。換言すれば、セット２では、ソール幅ＷＳｔは、クラブ長が短くなるにつれて大きい。したがって、ヘッドｈｄ７（前記第３クラブ）のソール幅ＷＳｔは、ヘッドｈｄ４（前記第２クラブ）のソール幅ＷＳｔよりも大きい。また、ヘッドｈｄ４（前記第２クラブ）のソール幅ＷＳｔは、ヘッドｈｄ１（前記第１クラブ）のソール幅ＷＳｔよりも大きい。
【００９０】
セット２では、ヒール基準位置Ｐｈにおけるソール幅ＷＳｈは、ロフト角が大きくなるにつれて大きい。換言すれば、セット２では、ソール幅ＷＳｈは、クラブ長が短くなるにつれて大きい。したがって、ヘッドｈｄ７（前記第３クラブ）のソール幅ＷＳｈは、ヘッドｈｄ４（前記第２クラブ）のソール幅ＷＳｈよりも大きい。また、ヘッドｈｄ４（前記第２クラブ）のソール幅ＷＳｈは、ヘッドｈｄ１（前記第１クラブ）のソール幅ＷＳｈよりも大きい。
【００９１】
〔ソール幅ＷＳｔ及びソール幅ＷＳｈのフローの効果（比較的長いクラブ）〕
これらのフローは、前述したソール幅ＷＳｃのフローの効果を一層高める。長いクラブ４では、ヘッドｈｄの回転半径（ヘッド軌道の半径）が大きいため、芝に接触している間のヘッドｈｄの移動距離が長い。よって、長いクラブ４では、芝との接触による抵抗が抜け性能に大きく影響する。長いクラブ４において、中央部分に加えてトウ側及びヒール側のソール幅ＷＳを小さくすることで、芝からの抵抗が更に低減されうる。  
【００９２】
〔ソール幅ＷＳｔ及びソール幅ＷＳｈのフローの効果（比較的短いクラブ）〕
これらのフローは、前述したソール幅ＷＳｃのフローの効果を一層高める。短いクラブ４では、ヘッドｈｄの回転半径（ヘッド軌道の半径）が小さいため、ヘッドｈｄが芝面に対して鋭角に侵入する（アタックアングルが大きい）。そのため、ヘッドｈｄが芝に深く入りすぎ、つっかかりが生じやすい。短いクラブ４において、中央部分に加えてトウ側及びヒール側のソール幅ＷＳを大きくすることで、ヘッドｈｄが芝から受ける上方への抗力（浮力）が大きくなり、前記つっかかりが更に抑制される。この結果、ヘッドｈｄが芝面を滑りやすくなり、抜け性能が向上する。
【００９３】
〔トレーリングエッジＥ２の曲率半径のフロー〕
セット２では、平面視におけるトレーリングエッジＥ２の曲率半径は、ロフト角が大きくなるにつれて大きい。換言すれば、平面視におけるトレーリングエッジＥ２の曲率半径は、クラブ長が短くなるにつれて大きい。したがって、ヘッドｈｄ７（前記第３クラブ）のトレーリングエッジＥ２の曲率半径は、ヘッドｈｄ４（前記第２クラブ）の当該曲率半径よりも大きい。また、ヘッドｈｄ４（前記第２クラブ）のトレーリングエッジＥ２の曲率半径は、ヘッドｈｄ１（前記第１クラブ）の当該曲率半径よりも大きい。この曲率半径のフローにより、上述した各番手の設計が容易となると共に、上記効果のそれぞれが効果的に達成される。
【００９４】
〔差（ＷＳｔ−ＷＳｃ）及び差（ＷＳｈ−ＷＳｃ）のフロー〕  
セット２では、差（ＷＳｔ−ＷＳｃ）は、ロフト角が大きくなるにつれて小さい。換言すれば、差（ＷＳｔ−ＷＳｃ）は、クラブ長が短くなるにつれて小さい。したがって、ヘッドｈｄ７（前記第３クラブ）の差（ＷＳｔ−ＷＳｃ）は、ヘッドｈｄ４（前記第２クラブ）の差（ＷＳｔ−ＷＳｃ）よりも小さい。また、ヘッドｈｄ４（前記第２クラブ）の差（ＷＳｔ−ＷＳｃ）は、ヘッドｈｄ１（前記第１クラブ）の差（ＷＳｔ−ＷＳｃ）よりも小さい。この差（ＷＳｔ−ＷＳｃ）のフローにより、上述した各番手の設計が容易となると共に、上記効果のそれぞれが効果的に達成される。
【００９５】
セット２では、差（ＷＳｈ−ＷＳｃ）は、ロフト角が大きくなるにつれて小さい。換言すれば、差（ＷＳｈ−ＷＳｃ）は、クラブ長が短くなるにつれて小さい。したがって、ヘッドｈｄ７（前記第３クラブ）の差（ＷＳｈ−ＷＳｃ）は、ヘッドｈｄ４（前記第２クラブ）の差（ＷＳｈ−ＷＳｃ）よりも小さい。また、ヘッドｈｄ４（前記第２クラブ）の差（ＷＳｈ−ＷＳｃ）は、ヘッドｈｄ１（前記第１クラブ）の差（ＷＳｈ−ＷＳｃ）よりも小さい。この差（ＷＳｈ−ＷＳｃ）のフローにより、上述した各番手の設計が容易となると共に、上記効果のそれぞれが効果的に達成される。
【００９６】
なお、差（ＷＳｔ−ＷＳｃ）及び差（ＷＳｈ−ＷＳｃ）は、マイナスの値であってもよい。
【００９７】
上述の実施形態では、稜線ＲＬを有するソール面１２を例として説明したが、本発明は稜線ＲＬを有する形態に限定されない。
【産業上の利用可能性】
【００９８】
本発明は、あらゆるアイアン型ゴルフクラブセットに適用されうる。フェース面が平面であるアイアン型ハイブリッド（アイアン型ユーティリティ）は、本願におけるアイアン型に含まれる。
【符号の説明】
【００９９】
２・・・アイアン型ゴルフクラブセット
４・・・クラブ
１０・・・トップ面
１２・・・ソール面
１４・・・フェース面
１６・・・ホーゼル
Ｓ１・・・リーディング面
Ｅ１・・・リーディングエッジ
Ｓ２・・・トレーリング面
Ｅ２・・・トレーリングエッジ
ＲＬ・・・稜線
Ｇｔ・・・トレーリングエッジ上の点であって、トウ基準位置にある点
Ｇｃ・・・トレーリングエッジ上の点であって、フェースラインの中央位置にある点
Ｇｈ・・・トレーリングエッジ上の点であって、ヒール基準位置にある点
ｇｖ・・・フェースライン
【図１】
0006711039.tif 000002
【図２】
0006711039.tif 000003
【図３】
0006711039.tif 000004
【図４】
0006711039.tif 000005
【図５】
0006711039.tif 000006
【図６】
0006711039.tif 000007
【図７】
0006711039.tif 000008
【図８】
0006711039.tif 000009
【図９】
0006711039.tif 000010
【図１０】
0006711039.tif 000011
【図１１】
0006711039.tif 000012
【図１２】
0006711039.tif 000013
【図１３】
0006711039.tif 000014
【図１４】
0006711039.tif 000015
【図１５】
0006711039.tif 000016
【図１６】
0006711039.tif 000017
【図１７】
0006711039.tif 000018
【図１８】
0006711039.tif 000019
【図１９】
0006711039.tif 000020
【図２０】
0006711039.tif 000021